(57)【要約】  受信専用のモードにおける複数の無線通信デバイスによる、マルチ呼出、あるいは、プッシュ・トゥ・トーク(PTT)呼出のような、受信専用グループ通信を構築するための移動通信の態様が開示される。無線通信デバイス間のグループ呼出が、グループ呼出が構築される受信専用グループを示す一態様において、発信側デバイスから無線通信デバイス間のグループ呼出が開始するとき、１つ以上の受信専用無線通信デバイスが決定され、グループ呼出に関与するように依頼される。受信専用無線通信デバイスに対するトラフィックチャネルは、片方向トラフィックチャネルを介して、受信専用無線通信デバイスへ、発信側無線通信デバイスからメディアが供給されるように、片方向フォワード専用トラフィックチャネルへ転送される。
2010541405.tif 000002
【特許請求の範囲】
【請求項１】
移動通信ネットワークに通信し、かつ少なくとも1つの受信専用無線通信デバイスを備える少なくとも１つの受信専用グループと発信側無線通信デバイスとの間の受信専用のグループ呼出を構築するように構成されたアプリケーションサーバと、
少なくとも１つの受信専用無線通信デバイスと発信側無線通信デバイスとの間のメディアセッションを管理するように構成されたメディア制御ユニットと、
受信専用無線通信デバイスによって使用するクライアントアプリケーションと、を備え、前記クライアントアプリケーションは、前記移動通信ネットワークにより、片方向トラフィックチャネルを介して前記受信専用グループに前記受信専用移動通信デバイスが関与可能とするように構成されている通信システム。
【請求項２】
前記クライアントアプリケーションは、前記移動通信ネットワークにより前記片方向トラフィックチャネルを構築するようさらに構成されている請求項１記載のシステム。
【請求項３】
前記クライアントアプリケーションは、前記移動通信ネットワークにより選択的にリバースリンクトラフィックを閉じるようにさらに構成されている請求項１記載のシステム。
【請求項４】
前記移動通信ネットワークは、CDMAシステムを備える請求項1のシステム。
【請求項５】
前記クライアントアプリケーションは、対応する受信専用無線通信デバイスにより基地局コントローラに片方向トラフィックチャネル遷移要求を送信し、
そして、前記基地局コントローラから遷移完了応答を受信するように構成されている請求項４記載のシステム。
【請求項６】
前記基地局は、選択的に遷移要求を拒絶するように構成されている請求項5のシステム。
【請求項７】
前記基地局コントローラは、無線通信デバイスに片方向トラフィックチャネル遷移要求を送信して、無線通信デバイスが受信専用モードを受け入れるように構成される請求項4のシステム。
【請求項８】
前記クライアントアプリケーションは、受信専用移動通信デバイス上に記憶されたソフトウェアを備える請求項1のシステム。
【請求項９】
メディア制御ユニットおよびアプリケーションサーバは、コロケートされている請求項1のシステム。
【請求項１０】
アクセスネットワークと通信するための手段と、
少なくとも1つの受信専用の無線通信デバイスを含む、少なくとも１つの受信専用グループと発信側無線通信デバイスとの間の受信専用のグループ呼出を促進するための手段と、
前記アクセスネットワークと前記受信専用無線通信デバイスとの間でフォワード専用トラフィックチャネルが構築されるように、発信側無線通信デバイスと受信専用無線通信デバイスとの間のメディアセッションを管理するための手段と、を備えた装置。
【請求項１１】
移動ネットワークと通信するように構成されたネットワークインタフェースデバイスと、
無線通信デバイスと発信側無線通信デバイスの間の受信専用のグループ呼出を構築するように構成されたクライアントアプリケーションと、を備え、前記クライアントアプリケーションは、無線通信デバイスが受信専用グループ呼出における受信専用ロールに限定されることにより、前記無線通信デバイスと前記移動ネットワークとの間の片方向トラフィックチャネルを構築するようにさらに構成されている、無線通信デバイス。
【請求項１２】
プロセッサデバイスをさらに備え、前記クライアントアプリケーションは、メモリに記憶され、前記プロセッサデバイスによって実行されるソフトウェアを備える請求項11記載のデバイス。
【請求項１３】
前記ネットワークインタフェースデバイスおよび前記クライアントアプリケーションは、CDMA通信をサポートするように構成されている請求項11記載のデバイス。
【請求項１４】
前記CDMA通信は、CDMA 2000と1xEV-DOとの少なくとも１つを備える請求項13記載のデバイス。
【請求項１５】
前記片方向トラフィックチャネルは、リバーストラフィックチャネルが閉じられたフォワード専用トラフィックチャネルを備える請求項11記載のデバイス。
【請求項１６】
複数の無線通信デバイス間でマルチキャスト呼出を構築するための方法であって、
１つ以上の受信専用無線通信デバイスを備える受信専用グループを定義し、
前記受信専用グループに対するマルチキャスト呼出を構築するための親無線通信デバイスによって始動される呼出要求を受信し、
前記１つ以上の受信専用無線通信デバイスに、前記マルチキャスト呼出に関与するように依頼し、
メディアを送信するための対応するアクセスネットワークと前記１つ以上の受信専用無線通信デバイスとの間の片方向トラフィックチャネルを構築する方法。
【請求項１７】
前記片方向トラフィックチャネルを構築することは、リバースリンクトラフィックチャネルを閉じることを備える請求項16記載の方法。
【請求項１８】
前記片方向トラフィックチャネルを構築することは、トラフィックチャネル割り当てメッセージ、あるいは、接続要求メッセージの少なくとも１つをオーバーロードすることを備える請求項16記載の方法。
【請求項１９】
前記片方向トラフィックチャネルを構築することは、BCMSCSフローIDに対してMAC  IDをマッピングすることを備える請求項16記載の方法。
【請求項２０】
前記片方向トラフィックチャネルを構築することは、CDMA規格をサポートする請求項16記載の方法。
【請求項２１】
無線通信システムにおける無線通信デバイス間のグループ呼出を構築する方法であって、
構築されたグループ呼出を備える受信専用グループを特定する発信側無線通信デバイスから呼出要求を受信し、前記受信専用グループは、１つ以上の受信専用無線通信デバイスを指定し、
前記1つ以上の受信専用無線通信デバイスを決定し、
前記１つ以上の受信専用無線通信デバイスに前記グループ呼出に関与することを依頼し、
対応するアクセスネットワークと前記１つ以上の受信専用無線通信デバイスとの間のトラフィックチャネルを構築し、
片方向フォワード専用トラフィックチャネルに対して前記トラフィックチャネルを転送し、
前記片方向フォワード専用トラフィックチャネルを介して、１つ以上の受信専用無線通信デバイスに対して前記発信側無線通信デバイスからメディアを供給する方法。
【請求項２２】
片方向フォワード専用トラフィックチャネルに対して前記トラフィックチャネルを転送することは、対応する受信専用無線通信デバイスと関連するMAC IDを含む請求項21記載の方法。
【請求項２３】
移動ネットワークで通信するための手段と、
前記無線通信デバイスが前記受信専用グループ呼出における受信専用ロールに限定されることによって、前記移動ネットワークと前記無線通信デバイスとの間の、片方向トラフィックチャネルを通して受信専用グループ呼出を構築するための手段と、を備える無線通信デバイス。
【請求項２４】
装置によって実行されたときに、前記装置に動作を行わせる命令を備えたコンピュータリーダブルメディアであって、前記命令は、
マルチキャストグループ通信を受信する１つ以上の受信専用移動通信デバイスを備えた受信専用グループを定義する１セットの命令と、
前記受信専用グループに対するマルチキャストグループ通信の構築のために、発信側無線通信デバイスにより始動された、グループ通信要求を受信する1セットの命令と、
前記マルチキャストグループ通信に関与することを、前記1つ以上の受信専用無線通信デバイスに依頼する1セットの命令と、
前記グループ通信に対する前記メディアの送信のために、対応するアクセスネットワークと前記1つ以上の受信専用無線通信デバイスとの間の片方向トラフィックチャネルを構築する1セットの命令と、を備えるコンピュータリーダブルメディア。
【請求項２５】
装置によって実行されたときに、前記装置に動作を行わせる命令を備えたコンピュータリーダブルメディアであって、前記命令は、
無線通信デバイスから移動ネットワークへ通信する１セットの命令と、
前記無線通信デバイスが前記グループ通信における受信専用ロールに限定される前記移動ネットワーク上で、無線通信デバイス間のグループ通信に対して、前記移動ネットワークと前記無線通信デバイスとの間の片方向トラフィックチャネルを構築する１セットの命令と、を備える、コンピュータリーダブルメディア。
【発明の詳細な説明】
【技術分野】
【０００１】
本発明は、概して無線通信網およびデバイスに関する。特に、本発明は、複数個の無線通信デバイス間のマルチキャスト呼を確立するシステムおよび方法に関する。
【背景技術】
【０００２】
移動通信システムは干渉の問題から影響を受ける。例えば、1xEV-DOシステムのようなCDMA通信システムにおいて、干渉感度は主としてリバースリンクに影響を与える。これは、リバースリンクがパワー制御される為に、フォワードリンクが全出力において送信されることに起因して発生する。リバースリンク上の干渉は、受信専用のディスパッチグループの場合には特に問題となることがある。概して、受信専用のディスパッチグループにおいて、単一の発信側移動局は、セル内の受信移動局のグループに対して同報送信する。受信移動局のグループは受信のみ行う(そして送信しない)ため、それは受信専用のディスパッチグループと呼ばれる。リバースリンクチャネル（例えばパイロット、ＤＲＣ、ＲＲＩ、等）において送信する単一方向（順方向／ダウンリンク）での流れのように、データが映像化される受信専用のディスパッチグループは、トラフィックチャネルを持つ受信専用のディスパッチグループの外側のアクセスターミナルはより高い電力レベルで送信する必要があるため、資源を浪費する。これは、これらの送信を受信する全てのセルにおける干渉の原因となる。
【発明の概要】
【０００３】
移動通信システムと関連方法、装置、コンピュータプログラム、プロトコル、等の種々の実施形態は、複数の受信専用の無線通信デバイスを備えた受信専用のグループ呼出、又は、マルチキャスト呼出を確立するために提供される。一実施形態は、無線通信ネットワークと通信し、発信側無線通信デバイスと少なくとも１つの受信専用無線通信デバイスを備える受信専用グループ受信専用グループとの間の呼出の構築を容易にする１つのアプリケーションサーバを備える通信システムである。システムは、発信側無線通信デバイスと受信専用無線通信デバイスとの間のメディアセッションと、受信専用の無線通信デバイスが片方向トラフィックチャネルを介する受信専用グループ呼出に関与可能とするロジックを有する、無線通信デバイスに常駐するクライアントアプリケーションとを管理するメディア制御ユニットと、を含む。
【図面の簡単な説明】
【０００４】
【図１】図1は、片方向トラフィックチャネル割り当てを介して受信専用のグループ呼出を構築するための通信システムの一実施形態のブロック図である。
【図２】図2は、片方向トラフィックチャネル割り当てを介して図1の通信システムにおいて受信専用のグループ呼出を構築する方法の一実施形態を示すフローチャートである。
【図３】図3は、受信専用のグループ呼出が片方向トラフィックチャネル割り当てを介して構築されることがあるCDMA通信システムの構成図である。
【図４】図4は、図3のCDMA通信システムの積層構成図である。
【図５】図5は、図3のCDMA通信システムの拡張積層構成図である。
【図６】図6は、片方向トラフィックチャネル割り当てを介して受信専用のグループ呼出を構築するための通信システムの別の実施形態のブロック図である。
【図７】図7は、CDMA通信システムにおいて片方向トラフィックチャネル割り当てを介して受信専用のグループ呼出を構築する方法の一実施形態の呼フローダイアグラムである。
【図８】図8は、CDMA通信システムにおいて片方向トラフィックチャネル割り当てを介して受信専用のグループ呼出を構築する方法の別の実施形態の呼出フローダイアグラムである。
【詳細な説明】
【０００５】
この開示は、受信専用のグループ呼出、又は、複数の移動無線通信デバイスとの通信を構築するための移動通信システムと、関連する方法、デバイス、コンピュータプログラム、プロトコル、等の種々の実施形態を記述する。一般に、受信専用のグループ呼出は、発信側移動通信デバイスと受信専用のグループとの間でのメディアセッション(例えば音声通話、データセッション、マルチメディアセッション、など)を備える。受信専用のグループは、受信専用の状態であるように構成される、複数の受信移動通信デバイスを備える。受信専用の状態またはモードにおいて、受信移動通信デバイスは、発信側移動通信デバイスに対してメディアを送信しない。それらは単に発信側移動通信デバイスからメディアを受信する。この点では、「発信側」および「受信側」という用語は、一般的に、送信デバイスからの受信専用の状態における移動通信デバイスを識別するものである。したがって、これらの用語は、受信専用のグループ呼出の状況における移動通信デバイスの役割または状態を説明する。「受信」移動通信デバイスは、受信専用の状態(つまり、それらは、単に「発信側」移動通信デバイスから送信されたメディアを「受信し」、メディアを「発信する」こと、または、送信することができない)である。「発信側」移動通信デバイスだけが、メディアを「発信する」、あるいは、送信することができる。受信専用のグループ呼出における構成要素の観点から、「発信側」移動通信デバイスは「スピーカ」である。「受信」移動通信デバイスは「リスナ」であって、受信専用の状態にいる間、スピーカの役割を担うことができない。したがって、用語「発信側」は、受信専用のグループ呼出を創造するあるいは開始するパーティを必ずしも指さないことは十分に理解されるべきである。より正確に言えば、この技術分野における当業者は、発信側移動通信デバイスあるいは受信専用の移動通信デバイスの１つのいずれかによって、受信専用のグループ呼出は開始されることがあることを十分に理解するだろう。
【０００６】
以下により詳細に説明されるように、受信専用のグループ呼出は、受信専用の移動通信デバイスとサポーティング移動通信システムとの間の片方向トラフィックチャネルにより構築される。技術において知られているように、移動通信システムの物理層構成は、移動通信デバイスとアクセスネットワークとの間で送信された1セットのチャネルを含むことがある。アクセスネットワークは、パケット交換データネットワーク(例えばインターネット)と移動通信デバイスとの間のデータ接続を提供するネットワーク装置を含む。チャネルはフォワードチャネルとリバースチャネルとを含む。その各々は、移動通信デバイスとアクセスネットワークとの間の通信用物理チャネルの階層を定義する。フォワードチャネルは、アクセスネットワークから移動通信デバイスに送信された物理層チャネルを備え、これに対し、リバースチャネルは移動通信デバイスからアクセスネットワークに送信された物理層チャネルを備える。フォワードチャネルとリバースチャネルとの両方は、メディアが送信されるトラフィックチャネルを含んでいる。以下により詳細に説明されるように、受信専用のグループ呼出は、受信専用の移動通信デバイスとアクセスネットワークとの間の片方向トラフィックチャネルにより構築される。言いかえれば、受信専用の移動通信デバイスについては、フォワードトラフィックチャネルだけが確立され、そして、リバーストラフィックチャネルは完全に閉じられるか、中止される(しばしば「ゲート切断」といわれる)。
【０００７】
図1は、受信専用の移動通信デバイスとサポーティング移動通信ネットワークとの間で片方向トラフィックチャネルが設立される、受信専用のグループ呼出のインプリメントのために通信システム100の多くの可能な実施形態のうちの1つを示す。図1の実施形態において示されるように、通信システム100は移動デバイス104と通信する移動通信ネットワーク102、パケット交換ネットワーク106(例えばインターネット)、パケットデータサービスノード(PDSN)108、アプリケーションサーバ110、および、メディア制御ユニット(MCU)112を含む。受信専用のグループ呼出は、1つ以上の発信側移動デバイス114と受信専用のグループ116との間で確立される。それは1つ以上の受信移動デバイス118を含む。
【０００８】
移動通信デバイス104は、例えば、移動通信ネットワーク102に通信するように構成される携帯電話あるいはモバイル・コンピューティングデバイスを備えてもよい。移動通信ネットワーク102は任意の望ましい技術、通信プロトコルあるいは通信標準(例えばCDMA 2000、1xEV-ＤＯ、など)をサポートしてもよい。図1に示されなかったが、移動通信ネットワーク102は、例えば基地局制御装置(BSC)、無線基地局(BTS)、パケット制御機能(PCF)、などのような、既知の構成を含むことがあることは十分に理解されるべきである。移動通信ネットワーク102は、PDSN 108を介してパケット交換データネットワーク104とインタフェースをとる。
【０００９】
一般に、アプリケーションサーバ110は、受信専用のグループ呼出の構築を促進する。そして、MCU 112は、受信専用のグループ呼出のメディア関連のアスペクトを管理する。1つの実施形態において、アプリケーションサーバ110は、発信側移動通信デバイス114と受信移動通信デバイス118との間の受信専用のグループ呼出の構築を促進する移動通信ネットワーク102にサービスを供給する。例えば、図1においてさらに示されているように、アプリケーションサーバ110は受信専用のグループと関係する情報122を記憶してもよい。アプリケーションサーバ110は、特定の受信専用のグループ116に関連した各々移動通信デバイス104を識別するデータだけでなく、受信専用のグループのリストを維持することがある。
【００１０】
図1においてさらに示されているように、アプリケーションサーバ110は片方向トラフィックチャネル割り当て(UDTCA)システム120を備える。UDTCAシステム120は、各々の受信移動通信デバイス118間の片方向トラフィックチャネルの構築を促進するための機能、ロジックなどを含む。この点について、各々の移動通信デバイスは呼出構築プロセスのある態様のインプリメントのための付随するロジックあるいはソフトウェア(例えばUDTCAクライアント124)を含んでいることがある。
【００１１】
UDTCAシステム120および／またはUDTCAクライアント124は、種々のデバイスに渡って配布されたロジック(例えばハードウェア、プロセッサインプロメンティッドソフトウェア、ファームウェアあるいはそれの任意の組み合わせ)を介してインプリメントされる。図1の実施形態において、UDTCAシステム120はアプリケーションサーバ110内に示される。しかしながら、他のシステムコンポーネント、例えば移動デバイス104(例えばUDTCAクライアント124)、PDSN 108、MCU 112、および、移動通信ネットワーク102(例えばBSC、BT、PCF、など)の種々の構成、にわたって、全体のロジックのある態様が配布され、あるいは逆に配置されてもよいことは十分に理解されるべきである。更に、本願における当業者は、UDTCAシステム120が、種々の技術、デバイス、ソフトウェア、プロセス、プロトコル、標準、など、を介して、この技術分野において知られている（あるいは将来開発される）種々のタイプの通信システムにおいて、インプリメントされてもよい。UDTCAクライアント124に関して、呼出構築ロジックは、例えばプッシュ・トゥ・トーク(PTT)インタフェース、コンタクトリスト、電子電話帳、などのような、任意の望ましいユーザ・インタフェース機能と一体化され(あるいは使用され)てもよいことは十分に理解されるべきである。
【００１２】
上記のように、UDTCAシステム120およびUDTCAクライアント124(および関連する方法、コンピュータソフトウェア、呼出構築方法、ソフトウェアおよびシステム、など)は、種々のタイプの通信システムで実施されてもよい。CDMAタイプシステムの種々の実施形態が説明されるが、この技術分野における当業者は、これらのコンセプトが他のシステム、プロトコル、技術、などに拡張されてもよいことを十分に理解するだろう。
【００１３】
図2は、移動デバイス104間の受信専用のグループ呼出を構築する概略のプロセスを示す。ブロック202では、受信専用のグループ116は定義される。それは1つ以上の受信移動局118を備える。上記のように、アプリケーションサーバ110は受信専用のグループの定義および管理のための適当な情報を記憶してもよい。この点では、受信専用のグループ116は移動デバイス104のユーザにより定義されてもよい。1つの実施形態において、ユーザは、移動デバイス104に常駐する機能を介して受信専用のグループ116を構成するか、指定するか、そうでなければ管理する。しかしながら、他の実施形態において、ユーザは、小売り設備における人により、電話手段を介して、あるいは、移動デバイス104以外のコンピュータデバイスを介して、受信専用のグループ116を構築してもよい。ブロック204では、移動デバイス104(例えば発信側移動デバイス114あるいは受信移動デバイス118)は、特定の受信専用のグループ116に対する受信専用のグループ呼出要求を開始する。呼出要求はアプリケーションサーバ110により受信される。この点に関して、呼出要求は、受信専用のグループ116を識別するアプリケーションサーバ110に対して十分な情報を含んでいてもよい。ブロック206では、アプリケーションサーバ110は受信専用のグループ116およびグループにおける対応する受信移動デバイス118を識別し、受信専用の呼出に加わることをそれらに依頼する。ブロック208では、片方向トラフィックチャネルは、対応する受信移動デバイス118と、移動通信ネットワークあるいはアクセスネットワークとの間で構築される。例えば、フォワードトラフィックチャネルだけが構築され、そして、リバーストラフィックチャネルは完全にゲート切断されることがある。
【００１４】
また、UDTCAシステム120およびUDTCAクライアント124は、種々の技術、通信プロトコルおよび標準などをサポートするように構成されてもよく、種々のタイプの通信システムでインプリメントされてもよい。図３−１０を参照して、ある実施形態において、UDTCAシステム120は、同じ物の前のバージョンのすべてを含み参照によってその全体がここに組み入れられるところの3GPP2 C.S0024-Aバージョン2.0として参照され、第３世代協力プロジェクト2(「3GPP2」)の「cdma2000高レートパケットデータエアインターフェース仕様書」と題するCDMA仕様書に説明されているごとくの、CDMA規格による符号分割多元接続(CDMA)通信システムでインプリメントされる。
【００１５】
図3は、CDMA通信システム300の概略の構成を示す。CDMA通信システム300は概してアクセスネットワーク302および複数個のアクセスターミナル304を備える。上に識別された3GGP2規格書において定義されたように、アクセスネットワーク302は、インターネットのようなパケット交換データネットワークとアクセスターミナルの304との間で、エアインターフェース306を介して、データ接続を提供するネットワーク装置を備える。アクセスターミナル304は、エンドユーザにデータ接続を提供するデバイスを備える。例えば、アクセスターミナル304は、移動通信デバイス、移動又は携帯電話、あるいは、任意の移動コンピューティングデバイスを備えてもよい。アクセスターミナル304は、ラップトップパソコンのようなコンピューティング装置に接続されてもよく、あるいは、それはパーソナルデータアシスタントのような自己充足のデータ装置であってもよい。エアインターフェース306はフォワードリンク308およびリバースリンク310を含んでいる。フォワードリンク308は、アクセスネットワーク302からアクセスターミナル304に送信された物理層チャネルを含む。リバースリンク310は、アクセスターミナル304からアクセスネットワーク302に送信された物理層チャネルを備える。エアインターフェース306は、上に識別された3GPP2規格書に非常に詳しく説明される。
【００１６】
図4および図5は、エアインターフェース306に対する層化構成を示す。各々層は、層の機能を行う1つ以上のプロトコルを含む。各々プロトコルは、個々に交渉されてもよい。アプリケーション層402は、多重アプリケーションを供給する。それは、エアインタフェースプロトコルメッセージを送信するためのデフォルトシグナリングアプリケーション、および、ユーザデータを送信するためのデフォルトパケットアプリケーションを供給する。ストリーム層404は、明確なアプリケーションストリームの多重化を供給する。デフォルトストリームプロトコルは4つのストリームを供給する。ストリーム0は、デフォルトシグナリングアプリケーションに対するデフォルトおよびシグナリングのために設けられる。ストリーム1、ストリーム2およびストリーム3はデフォルトで使用されない。ジェネリックバーチャルストリームプロトコルは、アプリケーションが結び付けられることがある多くの仮想ストリームを供給する。セッション層406は、アドレス管理、プロトコル交渉、プロトコル構成、および、状態保守サービスを供給する。コネクション層406はエアリンク接続構築および保守サービスを供給する。セキュリティ層408は認証および暗号化サービスを供給する。メディアアクセス制御(MAC)層410は、物理層に関して受け取り送信するために使用される手続きを定義する。物理層414は、フォワードおよびリバースチャネルとして、チャネル構造、周波数、電力出力、変調および符号化規格を供給する。
【００１７】
各層は1つ以上のプロトコルを含んでいてもよい。プロトコルは、概してエアリンク(例えばエアインターフェース306)の反対側に、それらの同位プロトコルに対して情報を伝えるためにシグナリングメッセージまたはヘッダーを使用する。プロトコルとアプリケーションとがメッセージを送信する時、それらは、概してこれらのメッセージを送信するためにシグナリングネットワークプロトコル(SNP)を使用する。3GPP2規格は、同じネットワークエンティティーにおけるプロトコル間、および、1つのエンティティにおいて実行するプロトコルと、別のエンティティにおいて実行する同じプロトコルとの間に通信するための1セットのインタフェースを定義する。
【００１８】
CDMA通信システム300の概略の構成を説明して、図6は、受信専用のグループ呼出が片方向トラフィックチャネル割り当てを介して構築されることがあるCDMAシステムにおいてインプリメントされた移動通信システム800の多くの可能な実施形態のうちの1つを示す。図6に示されるように、移動通信システム800は、それらが各地またはセクタ、パケット交換ネットワーク106、ＰＤＳＮ108、アプリケーションサーバ110およびMCU112を移動するように、通信するアクセスターミナル304を備えたアクセスネットワーク302を備える。上記のように、受信専用のグループ呼出はUDTCAクライアント124を持つアクセスターミナル304間で構築される。アプリケーションサーバ110はUDTCAシステム120を含んでいる。図6に示されるように、アクセスネットワーク302は、例えば、無線基地局(BTS)802、基地局制御装置(BSC)804およびパケット制御機能(PCF)806のような、種々のシステムコンポーネントを備えても良い。BTS 802は携帯電話基地局を備える。BTS 802は、無線セルあるいはセクタを提供するための、送信および受信技術、および、またアンテナも含んでいる。BSC 804は、一般に、アクセスターミナル304からの無線信号を、送信し、および、受信する役割である。一般に、BSC 804は、音声チャネルの別コードへの変換、アクセスターミナルに対するラジオチャネルの割り当て、および、他のタスクを実行する。PCF 806は、概して、アクセスネットワーク302とPDSN 108との間のパケットの送信を制御するエンティティである。BTS 802、BSC 804およびPCF 806は、適用可能なものとして適用CDMA規格をサポートするように構成される。
【００１９】
図7は、発信側移動局と複数の受信専用の宛先移動局との間の受信専用のグループ呼出を構築するプロセスの実施形態を示す。図7のブロック図部分において示されるように、呼出構築プロセスが種々のシステムコンポーネントのインフラストラクチャーを介して発生する。この点において、呼出確立プロセスに関連したロジックは、種々のシステム構成に配布されてもよい。図7において、発信側移動局は、図の左側に示され、複数の受信専用の宛先移動局は図の右側に配置されるだろう。図7の実施形態において、システムコンポーネントは、受信専用受信アクセスターミナルおよび発信側アクセスターミナルにあるソフトウェアクライアント(UDTCA 124)と、発信側アクセスターミナル(PDSN 108)に関連したサービスノードと、受信専用の宛先移動局(PDSN 108)に関連したサービスノードと、アプリケーションサーバ110と、メディア制御ユニット(MCU)112と、受信専用受信アクセスターミナルに関連したBSCとを備える。システムインフラストラクチャの特定の実行によって、望まれたあるいは実用的なように、図7に示されたあるシステム構成は単一の構成に一体化されてもよいことは十分理解されるべきである。更に、図7に示す特定のシステム構成に関連した機能あるいはロジックは、他のシステム構成に配布されてもよい。
【００２０】
図7のフローダイアグラム態様について、リファレンス項目Aでは、発信側アクセスターミナルのUDTCAクライアント124は、受信専用の呼出が受信専用のグループ116により構築されることを決定する。UDTCAクライアント124は、PDN 108を介してアプリケーションサーバ110に、例えばリバースリンクアクセスチャネル(ACH)上の、呼出要求を送信する。リファレンス項目Bでは、アプリケーションサーバ110は、例えば、共通チャネル（CHH）上の、発信側アクセスターミナルに確認（ACK）メッセージを送信する。リファレンス項目Cでは、アプリケーションサーバ110は、呼出要求が受信専用のグループ116に対応することを決定する。受信専用のグループ116が多くの方法で識別されてもよいことは十分に理解されるべきである。多くの可能な実施形態のうちの1つにおいて、受信専用のグループは、引用によりその全体がここに組込まれるインターネットプロトコルのRFC 2474において定義されているような、サービス区分(differentiated services：DS)フィールドを介して指定される。
【００２１】
アプリケーションサーバ110は、対応するPDSN 108およびBSC(s)804を通して参加する受信専用のアクセスターミナルに対する呼通知メッセージを供給する。受信専用受信アクセスターミナルは、システムとの通信を可能にするために関連するクライアント(例えばUDTCAクライアント124)を含んでもよい。リファレンスエレメントDでは、関係する受信専用のアクセスターミナルは、例えばリバースリンクアクセスチャネル(ACH)を介して、アプリケーションサーバ110に「呼出受信」メッセージを送信することにより、呼出を受信する。リファレンスエレメントEでは、アプリケーションサーバ110は、発信側アクセスターミナル(UDTCAクライアント124)に「発言権許可」メッセージを送信する。リファレンスエレメントFでは、発信側アクセスターミナルはリバースリンクトラフィックチャネルに発言を許可し、アプリケーションサーバ110に対してACKメッセージを送信する。リファレンス項目Gでは、アプリケーションサーバ110は受信専用のグループ呼出を開始する。図7に示され、そして上述のように、アプリケーションサーバ110は、呼出を開始するために関連するMCU 112を使用してもよい。この機能は、アプリケーションサーバ110とコロケートされてもよく、あるいは、遠隔に割り当てられてもよいことは十分に理解されるべきである。
【００２２】
リファレンスエレメントHでは、MCU情報はトラフィックチャネル(TCH)上の発信側アクセスターミナルへ供給される。リファレンスエレメントIでは、MCU 112は、トラフィックチャネル上の関係する受信専用のアクセスターミナルにMCU情報を供給する。リファレンスエレメントJでは、受信専用のアクセスターミナルは、例えばトラフィックチャネルを介して、MCU 112に対してACKメッセージを送信する。このように、受信専用のアクセスターミナルでのクライアントソフトウエア(例えばUDTCAクライアント124)は受信専用のメカニズムをインプリメントするように構成される。1つのインプリメントにおいて、クライアントソフトウエアは、MCU 112からのDSフィールドあるいはアプリケーション層メッセージを見て、次に、受信専用の呼出が構築されていることを決定してもよい。リファレンスエレメントKでは、発信側アクセスターミナルは、ACK MCU情報メッセージを（トラフィックチャネルにより）MCU112へ送信し、リファレンスエレメントLでは、受信専用のグループ呼出に関連したメディアは発信側アクセスターミナルからMCU112へ送信される。MCU 112が発信側移動局により供給されるメディアを扱うためのメカニズムを一時的に蓄える適切なデータを含むことがあることが十分に理解されるべきである。
【００２３】
リファレンスエレメントMでは、MCU 112は、関係する受信専用のアクセスターミナルに関連したBSC(s)804にメディアを送信する。リファレンスエレメントNでは、受信専用の呼出が構築されていることを決定し、関係する受信専用のアクセスターミナルは、アクセスネットワーク304(例えばBSC 804)へ遷移要求を送信してもよい。遷移要求は、片方向トラフィックチャネルは、関係する受信専用のアクセスターミナルにより構築されるべきであるとアクセスネットワークに通知する。リファレンスエレメントOでは、アクセスネットワーク304は片方向チャネル割当てをインプリメントし、各々関係する受信専用のアクセスターミナルに関連した、リバースリンクトラフィックチャネル全体を有効にゲート切断する。言いかえれば、フォワードリンクトラフィックチャネルだけが、アクセスネットワーク304と関係する受信専用受信アクセスターミナルとの間で構築される。リファレンスエレメントPでは、構築されそしてMCU112からのメディアを受信した片方向トラフィックチャネルにより、アクセスネットワーク304は、片方向トラフィックチャネル上で、発信側アクセスターミナルから関係する受信専用のアクセスターミナルにメディアを供給する。
【００２４】
本願の技術分野における当業者は、全体の呼出構築プロセス内の種々の方法で、片方向トラフィックチャネルがインプリメントされてもよいことを十分に理解するだろう。図7の実施形態において、関係する受信専用のアクセスターミナルがMCU 112に対してACKを送信した後、片方向トラフィックチャネルは構築される。図8は、受信専用の呼出構築プロセスの別の実施形態を示す。図8の呼出構築プロセスのいくつかの態様は図7のそれに似ているが、呼出構築プロセス全体を明瞭とする目的のために説明される。
【００２５】
リファレンスエレメントAでは、図8の実施形態に関して、発信側アクセスターミナルは、受信専用の呼出が構築されることを決定し、そして、UDTCAクライアント124は、PDNS108を介してアプリケーションサーバ112上で呼出要求を送信する。リファレンスエレメントBでは、アプリケーションサーバ110は発信側アクセスターミナルへACKメッセージを送信する。リファレンスエレメントCでは、アプリケーションサーバ110は、呼出要求が受信専用のグループに対応することを決定する。アプリケーションサーバ110は、受信専用のグループにおける受信専用のアクセスターミナルへ呼出を通知する。アプリケーションサーバ110は、対応するPDSN 108およびBSC804を通して、関係する受信専用のアクセスターミナルに、呼出通知メッセージを供給する。リファレンスエレメントDでは、関係する受信専用のアクセスターミナルは、アプリケーションサーバ110に、「呼出受信」メッセージを送信することにより、呼出を受け取る。リファレンスエレメントEでは、アプリケーションサーバ110は、発信側移動局(UDTCAクライアント124)に「発言権許可」メッセージを送信する。
【００２６】
リファレンスエレメントFでは、発信側アクセスターミナルは、リバースリンクトラフィックチャネルに発言を許可し、アプリケーションサーバ110にACKメッセージを送信する。リファレンスエレメントGでは、アプリケーションサーバ110はMCU 112により受信専用のグループ呼出を開始する。リファレンスエレメントHおよびIでは、片方向トラフィックチャネル割り当ては、関係する受信専用のアクセスターミナルとアクセスネットワーク302との間で構築される。リファレンスエレメントHでは、関係する受信専用受信アクセスターミナルは、関係する受信専用の受信アクセスターミナルにより片方向トラフィックチャネルが構築されるべきアクセスネットワーク302に通知するアクセスネットワーク302へ(例えばBSC804を介して)遷移要求を送信してもよい。リファレンスエレメントIでは、アクセスネットワーク302は遷移要求に応答し、片方向トラフィックチャネルはゲート切断された全てのリバースリンクトラフィックチャネルにより構築される(つまり、フォワードリンクトラフィックチャネルだけが、アクセスネットワーク302と関係する受信専用受信アクセスターミナルとの間で構築される)。リファレンスエレメントJでは、MCU情報は発信側アクセスターミナルへ供給される。リファレンスエレメントKでは、発信側アクセスターミナルは、MCU 112に対してACK MCU情報メッセージを(トラフィックチャネルを介して)送信し、そして、リファレンスエレメントLでは、受信専用のグループ呼出に関連したメディアは、発信側アクセスターミナルからMCU 112に送信される。リファレンスエレメントMでは、MCU 112は、トラフィックチャネル上において、関係する受信専用のアクセスターミナルにMCU情報を供給する。リファレンスエレメントNでは、受信専用のアクセスターミナルは、例えばトラフィックチャネルを介して、MCU 112にACKメッセージを送信する。このように、受信専用のアクセスターミナルでのクライアントソフトウエア(例えばUDTCAクライアント124)は受信専用のメカニズムをインプリメントするように構成される。1つの実行において、クライアントソフトウエアは、MCU 112による、アプリケーション層メッセージあるいはDSフィールドを見て、次に、受信専用の呼出が構築されていることを決定してもよい。MCU 112は、発信側移動局によって供給されたメディアを扱うためのメカニズムを一時的に蓄える適切なデータを含んでもよいことは十分理解されるべきである。リファレンスエレメントOでは、MCU 112は、関係する受信専用のアクセスターミナルに関連したBSC804に対してメディアを送信する。リファレンスエレメントPでは、構築され、そして、MCU112からメディアを受信した片方向トラフィックチャネルにより、アクセスネットワーク302は、片方向トラフィックチャネル上において、発信側アクセスターミナルから関係する受信専用受信アクセスターミナルにメディアを供給する。任意の論理ファンクションは、本願の技術における当業者によって理解されるように、含まれた機能性に依存する、逆順又はほぼ同時を含む、議論されたあるいは示された順以外で実行されてもよいことは十分理解されるべきである。
【００２７】
本願の技術における当業者の一人は、UDTCAシステムが任意の通信プロトコル、コンピュータ言語、等を使用してインプリメントされること、そして、コンピュータベースドシステム、プロセッサを含むシステム、あるいは、命令実行システム、装置、あるいはデバイスからの命令を読み出して実行する他のシステムのような、命令実行システムと関係するあるいは使用されるための任意のコンピュータリーダブルメディアで具現されてもよいことを十分理解する。この明細書の背景において、「コンピュータリーダブルメディア」は、命令実行システム、装置、あるいはデバイスと関連するあるいは使用されるためのVoIPに対してセルの呼出確立プロセスを具体化するロジックを記録、通信、伝搬、転送を含むことが可能な任意の手段になりえる。例えば、コンピュータリーダブルメディアは、電子、磁気、光学、電磁気、赤外線、あるいは、半導体システム、装置、デバイス又は伝播メディアでもよい。コンピュータリーダブルメディアのより特殊な例(網羅していないリスト)は、下記を含むだろう: 1つ以上の配線、ポータブルコンピューターディスケット(磁気)、ランダムアクセスメモリー(RAM)(電子)、読み取り専用メモリ(ROM)(電子)、消去可能プログラム可能ROM(EPROMまたはフラッシュメモリ)(電子)、光ファイバー(オプティカル)、ポータブルコンパクトディスク読み出し専用メモリ(CDROM)(光学)、および、ロジックを含む通報信号がある電気接続(電子)。コンピュータリーダブルメディアは、紙や他のメディアの例えば光学スキャンニングすることによりプログラムが、電気的に読み取れ、そしてコンパイルされ、解釈され、必要に応じて適切な方式で実行され、そして、コンピュータメディアに記憶されるようにプログラムが印刷された他の適切なメディアや紙でもありえる。
【００２８】
この開示は典型的な実施形態の点から発明を説明するが、発明はそれらの実施形態に対して限定しない。もっと正確に言えば、当業者は発明の他の変形および実施形態を含むために添付された請求項を広く解釈するだろう。当業者は発明の相当物の範囲および範囲から外れずに、それを得ることがあるし、使用することがある。
【図１】
2010541405.tif 000003
【図２】
2010541405.tif 000004
【図３】
2010541405.tif 000005
【図４】
2010541405.tif 000006
【図５】
2010541405.tif 000007
【図６】
2010541405.tif 000008
【図７】
2010541405.tif 000009
【図８】
2010541405.tif 000010
【手続補正書】
【提出日】平成22年5月21日(2010.5.21)
【手続補正１】
【補正対象書類名】特許請求の範囲
【補正対象項目名】全文
【補正方法】変更
【補正の内容】
【特許請求の範囲】
【請求項１】
移動通信ネットワークに通信し、かつ少なくとも1つの受信専用無線通信デバイスを備える少なくとも１つの受信専用グループと発信側無線通信デバイスとの間の受信専用のグループ呼出を構築するように構成されたアプリケーションサーバと、
少なくとも１つの受信専用無線通信デバイスと発信側無線通信デバイスとの間のメディアセッションを管理するように構成されたメディア制御ユニットと、
受信専用無線通信デバイスによって使用するクライアントアプリケーションと、を備え、前記クライアントアプリケーションは、前記移動通信ネットワークによりトラフィックチャネルを構築し、そして、前記移動通信ネットワークへ片方向トラフィックチャネル遷移要求を送信するように構成された前記クライアントアプリケーションにより、前記移動通信ネットワークにより、片方向トラフィックチャネルを介して前記受信専用グループに前記受信専用移動通信デバイスが関与可能とするように構成されている通信システム。
【請求項２】
前記クライアントアプリケーションは、前記移動通信ネットワークによりリバースリンクトラフィックを閉じるようにさらに構成されている請求項１記載のシステム。
【請求項３】
前記移動通信ネットワークは、CDMAシステムを備える請求項1のシステム。
【請求項４】
前記クライアントアプリケーションは、対応する受信専用無線通信デバイスにより基地局コントローラに前記片方向トラフィックチャネル遷移要求を送信し、
そして、前記基地局コントローラから遷移完了応答を受信するように構成されている請求項３記載のシステム。
【請求項５】
前記基地局は、遷移要求を拒絶するように構成されている請求項４のシステム。
【請求項６】
前記基地局コントローラは、無線通信デバイスに前記片方向トラフィックチャネル遷移要求を送信して、無線通信デバイスが受信専用モードを受け入れるように構成される請求項３のシステム。
【請求項７】
前記クライアントアプリケーションは、受信専用移動通信デバイス上に記憶されたソフトウェアを備える請求項1のシステム。
【請求項８】
メディア制御ユニットおよびアプリケーションサーバは、コロケートされている請求項1のシステム。
【請求項９】
アクセスネットワークと通信するための手段と、
少なくとも1つの受信専用の無線通信デバイスを含む、少なくとも１つの受信専用グループと発信側無線通信デバイスとの間の受信専用のグループ呼出を促進するための手段と、
前記アクセスネットワークと前記受信専用無線通信デバイスとの間でトラフィックチャネルが初めて構築され、前記トラフィックチャネルが片方向フォワード専用トラフィックチャネルへ遷移されるように、発信側無線通信デバイスと受信専用無線通信デバイスとの間のメディアセッションを管理するための手段と、を備えた装置。
【請求項１０】
移動ネットワークと通信するように構成されたネットワークインタフェースデバイスと、
無線通信デバイスと発信側無線通信デバイスの間の受信専用のグループ呼出を構築するように構成されたクライアントアプリケーションと、を備え、前記クライアントアプリケーションは、無線通信デバイスが受信専用グループ呼出における受信専用ロールに限定されることにより、前記無線通信デバイスと前記移動ネットワークとの間のトラフィックチャネルを構築して、片方向トラフィックチャネル遷移要求を前記移動ネットワークへ送信するようにさらに構成されている、無線通信デバイス。
【請求項１１】
プロセッサデバイスをさらに備え、前記クライアントアプリケーションは、メモリに記憶され、前記プロセッサデバイスによって実行されるソフトウェアを備える請求項１０記載のデバイス。
【請求項１２】
前記ネットワークインタフェースデバイスおよび前記クライアントアプリケーションは、CDMA通信をサポートするように構成されている請求項１０記載のデバイス。
【請求項１３】
前記CDMA通信は、CDMA 2000と1xEV-DOとの少なくとも１つを備える請求項１２記載のデバイス。
【請求項１４】
前記片方向トラフィックチャネルは、リバーストラフィックチャネルが閉じられたフォワード専用トラフィックチャネルを備える請求項１０記載のデバイス。
【請求項１５】
複数の無線通信デバイス間でマルチキャスト呼出を構築するための方法であって、
１つ以上の受信専用無線通信デバイスを備える受信専用グループを定義し、
前記受信専用グループに対するマルチキャスト呼出を構築するための発信側無線通信デバイスによって始動される呼出要求を受信し、
前記１つ以上の受信専用無線通信デバイスに、前記マルチキャスト呼出に関与するように依頼し、
対応するアクセスネットワークと前記１つ以上の受信専用無線通信デバイスとの間のトラフィックチャネルを構築し、
メディアを送信するために、片方向トラフィックチャネルへ前記トラフィックチャネルを遷移する方法。
【請求項１６】
片方向トラフィックチャネルへ前記トラフィックチャネルを遷移することは、リバースリンクトラフィックチャネルを閉じることを備える請求項１５記載の方法。
【請求項１７】
片方向トラフィックチャネルへ前記トラフィックチャネルを遷移することは、トラフィックチャネル割り当てメッセージ、あるいは、接続要求メッセージの少なくとも１つをオーバーロードすることを備える請求項１５記載の方法。
【請求項１８】
片方向トラフィックチャネルへ前記トラフィックチャネルを遷移することは、BCMSCSフローIDに対してMAC IDをマッピングすることを備える請求項１５記載の方法。
【請求項１９】
前記片方向トラフィックチャネルは、CDMA規格をサポートする請求項１５記載の方法。
【請求項２０】
無線通信システムにおける無線通信デバイス間のグループ呼出を構築する方法であって、
構築されたグループ呼出を備える受信専用グループを特定する発信側無線通信デバイスから呼出要求を受信し、前記受信専用グループは、１つ以上の受信専用無線通信デバイスを指定し、
前記1つ以上の受信専用無線通信デバイスを決定し、
前記１つ以上の受信専用無線通信デバイスに前記グループ呼出に関与することを依頼し、
対応するアクセスネットワークと前記１つ以上の受信専用無線通信デバイスとの間のトラフィックチャネルを構築し、
片方向フォワード専用トラフィックチャネルに対して前記トラフィックチャネルを転送し、
前記片方向フォワード専用トラフィックチャネルを介して、１つ以上の受信専用無線通信デバイスに対して前記発信側無線通信デバイスからメディアを供給する方法。
【請求項２１】
片方向フォワード専用トラフィックチャネルに対して前記トラフィックチャネルを転送することは、対応する受信専用無線通信デバイスと関連するMAC IDを含む請求項２０記載の方法。
【請求項２２】
移動ネットワークで通信するための手段と、
前記無線通信デバイスが前記受信専用グループ呼出における受信専用ロールに限定されることによって、前記移動ネットワークと前記無線通信デバイスとの間の、片方向トラフィックチャネルを通して受信専用グループ呼出を構築するための手段と、を備え、前記構築するための手段は、前記移動ネットワークでトラフィックチャネルを構築するための手段と、前記移動ネットワークへ片方向トラフィックチャネル遷移要求を送信するための手段と、を備える無線通信デバイス。
【請求項２３】
装置によって実行されたときに、前記装置に動作を行わせる命令を備えたコンピュータリーダブルメディアであって、前記命令は、
マルチキャストグループ通信を受信する１つ以上の受信専用移動通信デバイスを備えた受信専用グループを定義する１セットの命令と、
前記受信専用グループに対するマルチキャストグループ通信の構築のために、発信側無線通信デバイスにより始動された、グループ通信要求を受信する1セットの命令と、
前記マルチキャストグループ通信に関与することを、前記1つ以上の受信専用無線通信デバイスに依頼する1セットの命令と、
対応するアクセスネットワークと前記1つ以上の受信専用無線通信デバイスとの間のトラフィックチャネルを構築する1セットの命令と、
前記グループ通信に対する前記メディアの送信のために、片方向トラフィックチャネルへ前記トラフィックチャネルを遷移する１セットの命令と、を備えるコンピュータリーダブルメディア。
【請求項２４】
装置によって実行されたときに、前記装置に動作を行わせる命令を備えたコンピュータリーダブルメディアであって、前記命令は、
無線通信デバイスから移動ネットワークへ通信する１セットの命令と、
前記移動ネットワークと前記無線通信デバイスとの間のトラフィックチャネルを構築する１セットの命令と、
前記無線通信デバイスが前記グループ通信における受信専用ロールに限定される前記移動ネットワーク上で、無線通信デバイス間のグループ通信に対して、片方向トラフィックチャネルへ前記トラフィックチャネルを遷移する１セットの命令と、を備える、コンピュータリーダブルメディア。
【国際調査報告】
2010541405.tif 000011
2010541405.tif 000012
2010541405.tif 000013
2010541405.tif 000014